(57)【要約】【課題】トイレ掃除などに使用された掃除用ブラシを収受しても、設置された室内を快適に保持することのできるブラシケースが望まれている。【解決手段】ブラシケース１は、上面開口５を有する有底箱状の本体容器２と、本体容器２の上面開口５を覆蓋する平板部１３を有する蓋体３と、を備えて成るケースである。そして、蓋体３の平板部１３に、掃除用ブラシ３０の少なくともブラシ毛植設部４を収受する上面開口１６を有する有底筒状の受け皿部１５が垂設され、蓋体３の平板部１３に、通気穴１７が上下貫通して形成され、本体容器２内に、消臭剤Ｇまたは芳香剤が収容されている。また、本体容器２内の底板部７に、本体容器２の上面開口５を覆蓋する際に蓋体３の受け皿部１５を案内する筒状のガイド筒部８が立設され、このガイド筒部８と本体容器２の側板部６との間の空間が、消臭剤Ｇまたは芳香剤を収容する収容室１１となっている。【選択図】図４
2016032526.tif 000002
【特許請求の範囲】
【請求項１】
上面開口を有する有底箱状の本体容器と、本体容器の上面開口を覆蓋する平板部を有する蓋体と、を備えて成り、
前記蓋体の平板部に、掃除用ブラシの少なくともブラシ毛植設部を収受する上面が開口した有底筒状の受け皿部が垂設され、
前記蓋体の平板部に、通気穴が上下貫通して形成され、
前記本体容器内に、消臭剤または芳香剤が収容されていることを特徴とするブラシケース。
【請求項２】
本体容器内の底板部に、本体容器の上面開口を覆蓋する際に蓋体の受け皿部を案内する筒状のガイド筒部が立設され、当該ガイド筒部と本体容器の側板部との間の空間が、消臭剤または芳香剤を収容する収容室となっていることを特徴とする請求項１に記載のブラシケース。
【請求項３】
蓋体の平板部と受け皿部との間に、下向きに縮径するテーパ面部が介設されていることを特徴とする請求項１または請求項２に記載のブラシケース。
【発明の詳細な説明】
【技術分野】
【０００１】
本発明は、例えばトイレ室などで使用される掃除用ブラシを収容するブラシケースに関するものである。
【背景技術】
【０００２】
従来、この種のブラシケースとしては、下記する特許文献１に記載されたものが知られている。この文献１記載のブラシケースは、開口部を有する有底箱状の本体容器と、この本体容器の開口部を覆蓋する蓋体と、この蓋体に設けられていて掃除用ブラシを収受するための受け皿部と、から構成されている。
このブラシケースによれば、トイレ掃除後の掃除用ブラシのブラシ毛植毛部が受け皿部に収容された後に、蓋体が操作されて、本体容器の開口部が覆蓋されるようになっている。
【先行技術文献】
【特許文献】
【０００３】
【特許文献１】特開２０００−２７１０４１号公報
【発明の概要】
【発明が解決しようとする課題】
【０００４】
ところで、トイレ掃除などに使用された掃除用ブラシは洗われたとしても臭気発生物が残存している場合が多々ある。このように臭気発生物が残存していると、上記した文献１記載のブラシケースであっても、受け皿部へのブラシの収受直後または暫くの時間経過後に、臭気発生物が分解して臭気が発生し、本体容器の開口部から漂い出てくる。このように臭気が漂うと、ブラシケースが置かれているトイレ室内が快適でなくなり、ハエなどの虫も寄り付きやすくなる。
【０００５】
本発明は、上記した従来の問題点に鑑みてなされたものであって、トイレ掃除などに使用されて臭気発生物が付着した掃除用ブラシを収受しても、設置された室内を快適に保持することのできるブラシケースの提供を目的とする。
【課題を解決するための手段】
【０００６】
上記目的を達成するために、本発明に係るブラシケースは、上面開口を有する有底箱状の本体容器と、本体容器の上面開口を覆蓋する平板部を有する蓋体と、を備えて成り、蓋体の平板部に、掃除用ブラシの少なくともブラシ毛植設部を収受する上面が開口した有底筒状の受け皿部が垂設され、蓋体の平板部に、通気穴が上下貫通して形成され、本体容器内に、消臭剤または芳香剤が収容されている構成にしてある。
【０００７】
また、前記構成において、本体容器内の底板部に、本体容器の上面開口を覆蓋する際に蓋体の受け皿部を案内する筒状のガイド筒部が立設され、当該ガイド筒部と本体容器の側板部との間の空間が、消臭剤または芳香剤を収容する収容室となっているものである。
【０００８】
そして、前記した各構成において、蓋体の平板部と受け皿部との間に、下向きに縮径するテーパ面部が介設されているものである。
【発明の効果】
【０００９】
本発明に係るブラシケースによれば、ブラシ収受用の受け皿部が蓋体に垂設され、通気穴が蓋体に形成され、消臭剤または芳香剤が本体容器内に収容されている。そこで、トイレ掃除などに使用された掃除用ブラシは受け皿部に収受される。そして、ブラシの収受直後または暫くの時間経過後に、掃除用ブラシに付着していた臭気発生物から臭気が発生すると、受け皿部の上面開口から臭気が漂い出る。そこで、消臭剤を本体容器内に収容している場合は、臭気が通気穴を通過して本体容器内に流れ込み、本体容器内の脱臭剤に到達して吸着される。これにより、ブラシケースの近傍を脱臭することができる。一方、消臭剤ではなく芳香剤を収容している場合は、本体容器内の芳香剤から発した芳香成分が通気穴を通って容器外へ出ていく。これにより、周囲に漂っている臭気をより強い香りでマスキングして芳香を感じさせるのである。これらの結果、設置されていたトイレ室などの室内を快適に保持することができる。
【００１０】
また、本体容器内の底板部に筒状のガイド筒部が立設されるとともに、このガイド筒部と本体容器の側板部との間の空間が消臭剤または芳香剤の収容室となっているものでは、覆蓋する際に下降する蓋体の受け皿部はガイド筒部の内周面で案内されるので、受け皿部は円滑に下降することができ、しかも消臭剤または芳香剤を押し潰したりすることを回避できる。
【００１１】
そして、蓋体の平板部と受け皿部との間に、下向きに縮径するテーパ面部が介設されているものでは、掃除用ブラシの先端部が平板部に接することを極力避けることができ、掃除用ブラシの先端部を容易かつ確実に受け皿部内に案内することができる。また、掃除用ブラシがテーパ面部に接して汚物が付着したとしても、汚物はテーパ面部の傾斜により受け皿部内に自然に案内されて収受され得る。
【図面の簡単な説明】
【００１２】
【図１】本発明の一実施形態に係るブラシケースの斜視図である。
【図２】前記ブラシケースの蓋体を示す平面図である。
【図３】前記ブラシケースの本体容器を示す平面図である。
【図４】前記ブラシケースにトイレ用の掃除用ブラシを収容した状態を示す図１におけるＡ−Ａ線矢視断面図である。
【発明を実施するための形態】
【００１３】
本発明の実施形態を図面に基づいて説明する。尚、以下に述べる実施形態は本発明を具体化した一例に過ぎず、本発明の技術的範囲を限定するものでない。図１〜図４は前段落で説明した通りである。
各図において、この実施形態に係るブラシケース１は、平面視四角形状で上面開口５を有する有底箱状の本体容器２と、本体容器２の上面開口５を覆蓋する平板部１３を有する蓋体３と、を備えて構成されている。この実施形態では消臭剤を収容した場合を例示し、芳香剤を収容した場合は後述する。
【００１４】
本体容器２は、平面視四角形状の底板部７と、底板部７の四辺部に立設された側板部６，６，６，６と、を備えて構成されており上面開口５を有している。本体容器２内の底板部７には、本体容器２の上面開口５を覆蓋する際に、蓋体３の受け皿部１５（の下端部）を案内する円筒状のガイド筒部８が立設されている。このガイド筒部８は上面開口１０を有している。ガイド筒部８と本体容器２の側板部６との間は、多数の消臭剤Ｇ，Ｇ，Ｇ，・・・を収容する収容室１１と成っている。本体容器２は不透明なものでも透明なものでも構わないが、収容室１１内に収容された消臭剤Ｇ，Ｇ，Ｇ，・・・の臭気吸着状態（変色状態）を視認する上で、透明であることが望ましい。但し、本体容器２の着色は問われない。
【００１５】
蓋体３の平板部１３には、上面開口１６を有する有底筒状の受け皿部１５が垂設されている。この受け皿部１５の底部１５Ａは中空半球状に形成されている。蓋体３の平板部１３と受け皿部１５との間には、下向きに縮径するテーパ面部１４が介設されている。蓋体２の平板部１３には、複数の通気穴１７，１７，１７，・・・が上下貫通して形成されている。また、蓋体３の平板部１３の一角部の下面には、上面に開口した雌ネジ部２０を有する受座部１９が設けられている。この受座部１９の雌ネジ部２０には、把手１８の雄ネジ部１８Ａが螺止されている。蓋体３の平板部１３の下面の四角部には、リブ２１，２１，２１，２１が垂設されている。各リブ２１には、外向きに突出した係止凸部２２がそれぞれ形成されている。各リブ２１の係止凸部２２は、本体容器２内の四隅部の側板部６にそれぞれ刻設された係止凹部１２に、係脱可能に係止されるようになっている。
【００１６】
掃除用ブラシ３０は、図４に２点鎖線で示すように、下部にブラシ毛植設部４を有するブラシ本体３１と、ブラシ本体３１の上端から延設された把手部３２と、ブラシ本体３１のブラシ毛植設部４に植設された多数のブラシ毛３３，３３，３３，・・・と、から構成されている。消臭剤Ｇは、非イオン界面活性剤を分散した植物抽出油がゲル状で軟質粒状の吸水性高分子樹脂に含浸されているものである。
【００１７】
上記のように構成されたブラシケース１の作用を次に説明する。この場合、本体容器２の上面開口５が開放されている状態から説明する。
まず、受け皿部１５の底部１５Ａが、ガイド筒部８の上面開口１０から筒内空間９内へ挿入される。このとき、受け皿部１５はガイド筒部８の内周面により下方に向かって円滑に案内される。そうして、蓋体３の平板部１３が本体容器２の上面開口５を蓋ったところで、更に蓋体３が手で押し下げられる。すると、四隅のリブ２１，２１，２１，２１が少し撓んで側板部６，６，６，６の内壁面を下がって行き、係止凸部２２，２２，２２，２２が係止凹部１２，１２，１２，１２に嵌まり込んで係止される。
【００１８】
そこで、掃除使用後の掃除用ブラシ３０が先端のブラシ毛植設部４から受け皿部１５内へ収容される。その後、ブラシ毛植設部４の先端のブラシ毛３３，３３，３３，・・・が受け皿部１５の底部１５Ａに当たって載置される（図４参照）。そのまま放置しておくと、ブラシ毛３３，３３，３３，・・・に付着していた汚物などから臭気が発生し、受け皿部１５の上面開口１６から蓋体３の上方に漂い出てくる。しかしながら、これらの臭気は通気穴１７，１７，１７，・・・から収容室１１内に取り込まれ、消臭剤Ｇ，Ｇ，Ｇ，・・・に到達して吸着されるのである。
【００１９】
以上に説明したように、この実施形態のブラシケース１は、蓋体３に受け皿部１５および通気穴１７，１７，１７，・・・が形成され、多数の消臭剤Ｇ，Ｇ，Ｇ，・・・が本体容器２の収容室１１内に収容されているので、使用後に受け皿部１５に収受された掃除用ブラシ３０から臭気が発生しても、これらの臭気は通気穴１７，１７，１７，・・・を通過して本体容器２内に流れ込み、収容室１１内の脱臭剤Ｇ，Ｇ，Ｇ，・・・に吸着される。これにより、ブラシケース１の近傍を脱臭できる。その結果、このブラシケース１が置かれているトイレ室などの室内を快適に保持できたのである。
【００２０】
また、本体容器２内の底板部７にガイド筒部８が立設され、このガイド筒部８と本体容器２の側板部６との間が消臭剤Ｇ用の収容室１１となっているので、覆蓋する際に下降する蓋体３の受け皿部１５はガイド筒部８の内周面により案内され得る。このとき、受け皿部１５は円滑に下降でき、しかも受け皿部１５の底部１５Ａで消臭剤Ｇ，Ｇ，Ｇ，・・・を押し潰すことを回避できる。そして、テーパ面部１４を有しているので、受け皿部１５の上面開口１６の径よりも平板部１３とテーパ面部１４との境目の径のほうが広くなるから、掃除用ブラシ３０の先端部が平板部１３に接することを極力避けることができ、掃除用ブラシ３０の先端部を容易かつ確実に受け皿部１５の上面開口１６内に案内することができる。また、掃除用ブラシ３０がテーパ面部１４に接して汚物が付着したとしても、汚物はテーパ面部１４の傾斜により案内されて受け皿部１５内に収受され得る。
【００２１】
尚、上記の実施形態では、粒ゲル状の消臭剤Ｇを例示したが、本発明はそれに限定されるものでなく、例えば液状の消臭剤、または本体容器内の収容室の空間形状に対応した形状に成形されたゲル状の消臭剤を用いることも可能である。
あるいは、上記の消臭剤に替えて「芳香剤」を本体容器内に収容し、芳香剤から発して通気穴を通り出た芳香成分により臭気をマスキングすることも可能である。この場合の芳香剤の形態も、粒ゲル状、成形ゲル状、液状などのものを採用することができる。
また、上記では本体容器２および蓋体３の形状を四角形状に形成した例を示したが、本発明はそれに限られず、四角形状以外の形状に形成されたものも含む。
【符号の説明】
【００２２】
１  ブラシケース
２  本体容器
３  蓋体
４  ブラシ毛植設部
５  上面開口
６  側板部
７  底板部
８  ガイド筒部
１１  収容室
１３  平板部
１４  テーパ面部
１５  受け皿部
１６  上面開口
１７  通気穴
３０  掃除用ブラシ
３３  ブラシ毛
Ｇ  消臭剤
【図１】
2016032526.tif 000003
【図２】
2016032526.tif 000004
【図３】
2016032526.tif 000005
【図４】
2016032526.tif 000006